(57)【要約】【課題】  本発明は外壁内通気層を形成する木下地と土台への雨水等の浸入を阻止することができるとともに、木下地内への虫や火炎の侵入も効率よく阻止することができる水切りカバーを得るにある。【解決手段】  建物の基礎との間に隙間を有するように、該基礎の上部の土台に上端部が固定されたほぼクランク状の内部水切りカバーと、前記基礎の上部躯体に透湿シートを介して取付けられた、外面に外壁が取付けられる外壁内通気層を形成する木下地の基礎上の下部外側部分に上部が取付けられ、クランク状で、下部が前記内部水切りカバーの下部と嵌合あるいは固定された外部水切りカバーとで水切りカバーを構成している。【選択図】  図２
2007051470.tif 000002
【特許請求の範囲】
【請求項１】
建物の基礎との間に隙間を有するように、該基礎の上部の土台に上端部が固定されたほぼクランク状の内部水切りカバーと、前記基礎の上部躯体に透湿シートを介して取付けられた、外面に外壁が取付けられる外壁内通気層を形成する木下地の基礎上の下部外側部分に上部が取付けられ、クランク状で、下部が前記内部水切りカバーの下部と嵌合あるいは固定された外部水切りカバーとからなることを特徴とする水切りカバー。  
【請求項２】
建物の基礎との間に隙間を有するように、該基礎の上部の土台に上端部が固定されたほぼクランク状の内部水切りカバーと、前記基礎の上部躯体に透湿シートを介して取付けられた、外面に外壁が取付けられる外壁内通気層を形成する木下地の基礎上の下部外側部分に上部が取付けられ、クランク状で、下部が前記内部水切りカバーの下部と嵌合あるいは固定された外部水切りカバーと、前記内部水切りカバーのほぼ中央部に形成された多数個の通気孔と、前記内部水切りカバーの下部に取付けられた、該部位と基礎との間の隙間より火炎や虫の侵入を阻止する侵入阻止片とからなることを特徴とする水切りカバー。
【請求項３】
内部水切りカバーの上部よりも外部水切りカバーの上部が下部に位置することを特徴とする請求項１、２いずれかに記載の水切りカバー。
【発明の詳細な説明】
【技術分野】
【０００１】
本発明は建物の土台等に雨水等が浸入するのを阻止することができる水切りカバーに関する。
【背景技術】
【０００２】
従来、建物の土台等に用いられる水切りカバーはクランク状に曲げ加工され、上部が土台に固定するとともに、下部内壁面に基礎との間の隙間を覆う防水片を取付けている。
【０００３】
このような水切りカバーは、基礎の上部躯体の外壁からの雨水等の土台への浸入を阻止することができるが、該基礎の上部躯体は透湿シート、外壁内通気層を設けるための木下地、外壁とで構成されているため、外壁、木下地の下部の水切りはもちろんのこと、虫や火炎の侵入を阻止することができないという欠点があった。
【特許文献１】特開２００３−３１３９６３
【発明の開示】
【発明が解決しようとする課題】
【０００４】
本発明は以上のような従来の欠点に鑑み、外壁内通気層を形成する木下地と土台への雨水等の浸入を阻止することができるとともに、木下地内への虫や火炎の侵入も効率よく阻止することができる水切りカバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は建物の基礎との間に隙間を有するように、該基礎の上部の土台に上端部が固定された、ほぼクランク状の内部水切りカバーと、前記基礎の上部躯体に透湿シートを介して取付けられた、外面に外壁が取付けられる外壁内通気層を形成する木下地の基礎上の下部外側部分に上部が取付けられ、クランク状で、下部が前記内部水切りカバーの下部と嵌合あるいは固定された外部水切りカバーとで水切りカバーを構成している。
【発明の効果】
【０００７】
以上の説明から明らかなように、本発明にあっては次に列挙する効果が得られる。
【０００８】
（１）建物の基礎との間に隙間を有するように、該基礎の上部の土台に上端部が固定された、ほぼクランク状の内部水切りカバーと、前記基礎の上部躯体に透湿シートを介して取付けられた、外面に外壁が取付けられる外壁内通気層を形成する木下地の基礎上の下部外側部分に上部が取付けられ、クランク状で、下部が前記内部水切りカバーの下部と嵌合あるいは固定された外部水切りカバーとで構成されているので、外壁内通気層を形成する木下地の下部を外部水切りカバーで覆うことができる。
したがって、木下地への雨水等の浸入を確実に阻止することができる。
【０００９】
（２）前記（１）によって、内部水切りカバーの下部と外部水切りカバーの下部とが嵌合あるいは固定されているため、木下地内への虫や火炎の侵入を確実に阻止することができるとともに、土台への雨水等の浸入を確実に阻止することができる。
【００１０】
（３）前記（１）によって、構造が簡単であるので、容易に実施することができる。
【００１１】
（４）請求項２も前記（１）〜（３）と同様な効果が得られるとともに、基礎との間の隙間へ虫や火炎が侵入するのを確実に阻止することができる。
【００１２】
（５）請求項３も前記（１）〜（３）と同様な効果が得られるとともに、内部水切りカバーと外部水切りカバーの下部を、あらかじめ嵌合あるいは固定しておいても、土台や木下地への取付けを容易に行なうことができる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は基礎２と土台３との間に隙間４が設けられた建物５の、該隙間４への雨水の浸入を阻止する本発明の水切りカバーで、この水切りカバー１は上部が前記土台３に複数本の針やビス等の固定具６で固定されるクランク状の鉄、ステンレス、合金、アルミ等の金属材製の内部水切りカバー７と、この内部水切りカバー７のほぼ中央部に形成された通気ができ、かつ虫の侵入を阻止できる多数個の通気孔８と、この多数個の通気孔８の下部寄りの部位に形成された外壁内浸入水を、該多数個の通気孔８より外部へ排出して下部への浸入を効率よく阻止する排出溝９と、前記基礎２の上部躯体１０に透湿シート１１を介して取付けられた外面に外壁１２が取付けられる外壁内通気層１３を形成する木下地１４の基礎２上の下部外側部分に、前記内部水切りカバー７の上部より下部に位置する上部が複数本の針やビス等の固定具６で固定されたクランク状で、下部が前記内部水切りカバー７の下部の嵌合片１６と嵌合された鉄、ステンレス、合金、アルミ等の金属材製の外部水切りカバー１５と、この外部水切りカバー１５の下部の嵌合部２２と前記内部水切りカバー７の下部の嵌合片１６に嵌合固定された、該部位と前記基礎２との間の隙間１７より火炎や虫の侵入を阻止する多数個の通気孔１８が形成された鉄、ステンレス、合金、アルミ等の金属材製の侵入阻止片本体１９、この侵入阻止片本体１９の多数個の通気孔１８を、熱を感じて閉じる記憶合金を用いた閉塞板２０とからなる侵入阻止片２１とで構成されている。
【００１５】
上記構成の水切りカバー１は外壁１２に付着した雨水等は外部水切りカバー１５によって、内部へ浸入することなく下端部より下部へ落下排出させる。
また、内部水切りカバー７は外壁内通気層１３への空気の供給および外壁内浸入水を多数個の通気孔８、排出溝９を介して下部へ落下排出される。
さらに、侵入阻止片本体１９の多数個の通気孔１８によって、床下および外壁内通気層１３への空気の供給および虫の侵入を阻止することができる。
[発明を実施するための異なる形態]
【００１６】
次に、図９ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図９ないし図１１に示す本発明を実施するための第２の形態において、前記本発明を実施するための最良の第１の形態と主に異なる点は、内部水切りカバー７の下端部に嵌合片１６を介して侵入阻止片本体１９を一体形成した点で、このように内部水切りカバー７と侵入阻止片本体１９とを一体形成したものを用いて構成した水切りカバー１Ａにしても、前記本発明を実施するための最良の第１の形態と同様な作用効果が得られる。
【００１８】
図１２ないし図１４に示す本発明を実施するための第３の形態において、前記本発明を実施するための第２の形態と主に異なる点は、閉塞板を使用しない侵入阻止片２１Ａを用いた点で、このような侵入阻止片２１Ａを用いて構成した水切りカバー１Ｂにしても、前記本発明を実施するための第２の形態と同様な作用効果が得られる。
【００１９】
図１５ないし図１７に示す本発明を実施するための第４の形態において、前記本発明を実施するための第３の形態と主に異なる点は、ほぼ中央部に通気が可能で、虫の侵入を阻止することができる多数個の通気孔２３を形成した外部水切りカバー１５Ａを用いた点で、このような外部水切りカバー１５Ａを用いて構成した水切りカバー１Ｃにしても、外壁内通気層１３内への雨水や虫の侵入を確実に阻止できるとともに、通気を行なうことができる。
【００２０】
図１８に示す本発明を実施するための第５の形態において、前記本発明を実施するための第４の形態と主に異なる点は、侵入阻止片２１Ａを使用することなく、基礎２と土台３との間の隙間を覆うように従来の防鼠材２４を配置した点で、このように構成した水切りカバー１Ｄにしても、前記本発明を実施するための第４の形態と同様な作用効果が得られる。
【００２１】
なお、前記本発明を実施するための各形態では、内部水切りカバー７と外部水切りカバー１５、１５Ａを金属材で形成するものについて説明したが、本発明はこれに限らず、合成樹脂材で形成したものを用いてもよい。
【産業上の利用可能性】
【００２２】
本発明は水切りカバーを製造する産業で利用される。
【図面の簡単な説明】
【００２３】
【図１】本発明を実施するための最良の第１の形態の使用状態の正面図。
【図２】図１の２−２線に沿う拡大断面図。
【図３】本発明を実施するための最良の第１の形態の斜視図。
【図４】本発明を実施するための最良の第１の形態の内部水切りカバーの説明図。
【図５】本発明を実施するための最良の第１の形態の外部水切りカバーの説明図。
【図６】本発明を実施するための最良の第１の形態の侵入阻止片の説明図。
【図７】本発明を実施するための最良の第１の形態の水切り状態を示す説明図。
【図８】本発明を実施するための最良の第１の形態の通気の状態の説明図。
【図９】本発明を実施するための第２の形態の使用状態の正面図。
【図１０】図９の１０−１０線に沿う拡大断面図。
【図１１】本発明を実施するための第２の形態の斜視図。
【図１２】本発明を実施するための第３の形態の使用状態の正面図。
【図１３】図１２の１３−１３線に沿う拡大断面図。
【図１４】本発明を実施するための第３の形態の斜視図。
【図１５】本発明を実施するための第４の形態の使用状態の正面図。
【図１６】図１５の１６−１６線に沿う拡大断面図。
【図１７】本発明を実施するための第４の形態の斜視図。
【図１８】本発明を実施するための第５の形態を示す断面図。
【符号の説明】
【００２４】
１、１Ａ、１Ｂ、１Ｃ、１Ｄ：水切りカバー、
２：基礎、                    ３：土台、
４：隙間、                    ５：建物、
６：固定具、                  ７：内部水切りカバー、
８：通気孔、                  ９：排出溝、
１０：躯体、                  １１：透湿シート、
１２：外壁、                  １３：外壁用通気層、
１４：木下地、                １５、１５Ａ：外部水切りカバー、
１６：嵌合片、                １７：隙間、
１８：通気孔、                １９：侵入阻止片本体、
２０：閉塞板、                ２１、２１Ａ：侵入阻止片、
２２：嵌合部、                ２３：通気孔、
２４：防鼠材。
【図１】
2007051470.tif 000003
【図２】
2007051470.tif 000004
【図３】
2007051470.tif 000005
【図４】
2007051470.tif 000006
【図５】
2007051470.tif 000007
【図６】
2007051470.tif 000008
【図７】
2007051470.tif 000009
【図８】
2007051470.tif 000010
【図９】
2007051470.tif 000011
【図１０】
2007051470.tif 000012
【図１１】
2007051470.tif 000013
【図１２】
2007051470.tif 000014
【図１３】
2007051470.tif 000015
【図１４】
2007051470.tif 000016
【図１５】
2007051470.tif 000017
【図１６】
2007051470.tif 000018
【図１７】
2007051470.tif 000019
【図１８】
2007051470.tif 000020